(57)【要約】【課題】偏荷重による暖房機本体の傾きを抑制し、また、回転時に電源コードの噛み込みを防止して、暖房機本体を円滑に回転させることができできる床置き型温風暖房機を提供する。【解決手段】前面側に温風の吹出し口４を備える床置き型温風暖房機の台脚３を、床面に接する基台７と、基台７の上部に間隙を存して設けられ暖房機本体２を一体的に載置する本体載置板６と、本体載置板６を基台７に回転自在に連結する回転軸８とによって構成する。基台７と本体載置板６とが相互に対向する対向面の少なくとも何れか一方に、回転軸から所定の距離を存する位置に突出する突起１５を設ける。【選択図】図２
2006183905.tif 000002
【特許請求の範囲】
【請求項１】
前面側に温風の吹出し口を備え、底部に台脚を備える床置き型温風暖房機において、
前記台脚は、床面に接する基台と、該基台の上部に間隙を存して設けられ暖房機本体を一体的に載置する本体載置板と、該本体載置板を前記基台に回転自在に連結する回転軸とを備え、
前記基台と本体載置板とが相互に対向する対向面の少なくとも何れか一方に、前記回転軸から所定の距離を存して前記間隙内に突出する突起を設けたことを特徴とする床置き型温風暖房機。
【請求項２】
前記本体載置板は、左右方向に延びる平面視略矩形状に形成されており、
前記基台は、前記本体載置板と平面視略同形状の主台座部と、該主台座部の前後方向に延出する副台座部とを備え、
前記突起は、前記回転軸から所定距離を存する位置において前記本体載置板から下方に向かって突出し且つ該本体載置板の前後方向に延びて形成され、
前記基台に対して前記本体載置板を回転させたとき、該本体載置板の前記突起の少なくとも一部が前記主台座部の上方に位置する範囲に、該本体載置板の回転角度を規制する回転規制手段を備えることを特徴とする請求項１記載の床置き型温風暖房機。
【請求項３】
前記主台座部には、前記本体載置板の前記突起と対向する位置又は該突起よりも外方位置に、上方に向かって突出する他の突起を設けたことを特徴とする請求項２記載の床置き型温風暖房機。
【請求項４】
前記回転規制手段は、前記本体載置板を一方向に回転させた際に該本体載置部が覆って前記主台座部の上面に形成される第１の非露出部の一部と、該本体載置板を他方向に回転させた際に該本体載置部が覆って前記主台座部の上面に形成される第２の非露出部の一部とが互いに重なる第３の非露出部が形成される範囲に前記本体載置板の回転角度を規制し、
前記他の突起は、該第３の非露出部に形成されていることを特徴とする請求項３記載の床置き型温風暖房機。
【発明の詳細な説明】
【技術分野】
【０００１】
本発明は、前面側に温風の吹出し口を備える床置き型温風暖房機に関し、詳しくは、底部に台脚を備えて該台脚によって温風暖房機本体を首振り動作させる床置き型温風暖房機に関する。
【背景技術】
【０００２】
従来、この種の床置き型温風暖房機は、その前方に向かって温風が吹出しされるようになっている。そして、温風の吹き出し方向を所望の方向に向ける時には、一般に暖房機全体を持ち上げて暖房機の向きを変えることが行われていた。しかし、温風の向きを変えるときに、その都度暖房機全体を持ち上げる作業が必要となるために、極めて煩わしいという不都合がある。
【０００３】
そこで、暖房機本体の下部に暖房機本体を回転自在とする台脚を設けたものが知られている（例えば、特許文献１参照）。即ち、この種の台脚は、略中央部に上下方向に延びる回転軸を備え、該回転軸廻りに暖房機本体を回転させて該暖房機本体を所望の方向に向けることができるようになっている。
【０００４】
しかし、この種の暖房機本体は、左右方向が長手方向となる平面視大略長方形状であり、暖房機本体を回転軸で支えるため、回転軸を中心としてその左右両端部側の何れかに偏荷重が生じやすい。そして、暖房機本体に前記偏荷重が生じた場合には、回転軸の軸線に対して交差する方向にガタつきが生じ、暖房機本体が左右の何れかに傾くおそれがあるだけでなく、円滑な回転が阻害される不都合がある。
【０００５】
また、回転時のガタつきを防止するために、回転軸の外周近傍に環状の合成樹脂製ブロックからなる回転板を嵌め込んで暖房機本体と台脚との密着度を増すようにしたものが提案されている（例えば、特許文献２参照）。
【０００６】
しかし、回転軸の周囲に回転板を設けることにより、暖房機本体に前記偏荷重が生じた場合のガタつきが抑制できても、暖房機本体と台脚との間において常に回転板が摺接されているために、回転時に摩擦抵抗が生じて円滑な回転が阻害されるおそれがある。しかも、左右方向が長手方向となる平面視大略長方形状の温風暖房機にあっては、回転軸の左右方向に生じる偏荷重も比較的大きく、回転軸の外周近傍に回転板を嵌め込んだだけでは暖房機本体の傾きを十分に抑制できない不都合がある。
【０００７】
更に、この種の暖房機においては、暖房運転を行う際に家庭用電源を用いるために、電源コードが暖房機本体から延出されており、暖房機本体を回転させた際に、暖房機本体と台脚との間に電源コードが侵入して噛み込むことも考えられ、これによっても円滑な回転が行えなくなるおそれがある。
【特許文献１】実開平３−１１８４７１号公報（第１図及び第７図）
【特許文献２】実開昭６１−６６７１１号公報（第１図）
【発明の開示】
【発明が解決しようとする課題】
【０００８】
かかる不都合を解消して、本発明は、偏荷重による暖房機本体の傾きを抑制し、また、回転時に電源コードの噛み込みを防止して、暖房機本体を円滑に回転させることができる床置き型温風暖房機を提供することを目的とする。
【課題を解決するための手段】
【０００９】
かかる目的を達成するために、本発明は、底部に台脚を備える床置き型温風暖房機において、前記台脚は、床面に接する基台と、該基台の上部に間隙を存して設けられ暖房機本体を一体的に載置する本体載置板と、該本体載置板を前記基台に回転自在に連結する回転軸とを備え、前記基台と本体載置板とが相互に対向する対向面の少なくとも何れか一方に、前記回転軸から所定の距離を存して前記間隙内に突出する突起を設けたことを特徴とする。
【００１０】
本発明の温風暖房機は、前記台脚を前記基台と前記本体載置板とによって構成すると共に、基台と本体載置板とを前記回転軸によって連結することによって、温風暖房機の前面側から吹出しされる温風の向きを所望の方向に変えることができるものである。そして、本発明においては、前記基台と前記本体載置板とが相互に対向する対向面の何れか一方に前記突起を設けたことにより、暖房機本体に偏荷重がかかって暖房機本体が傾きかけたときに該突起が前記基台と前記本体載置板との対向面の他方に当接して暖房機本体の傾きを規制することができる。これによって回転軸の回転軸線に交差する方向にかかる荷重を軽減することができ、暖房機本体を円滑に回転させることができる。
【００１１】
また、本発明において、前記本体載置板は、左右方向に延びる平面視略矩形状に形成されており、前記基台は、前記本体載置板と平面視略同形状の主台座部と、該主台座部の前後方向に延出する副台座部とを備え、前記突起は、前記回転軸から所定距離を存する位置において前記本体載置板から下方に向かって突出し且つ該本体載置板の前後方向に延びて形成され、前記基台に対して前記本体載置板を回転させたとき、該本体載置板の前記突起の少なくとも一部が前記主台座部の上方に位置する範囲に、該本体載置板の回転角度を規制する回転規制手段を備えることを特徴とする。
【００１２】
本発明によれば、前記突起を前記本体載置板に設けたことにより、該突起が外部から視認されることなく、該突起によって暖房機の外観が損なわれることを防止することができる。また、回転規制手段によって規制する本体載置板の回転角度（即ち、首振りさせる範囲）は、前記突起の少なくとも一部が前記主台座部の上方に位置する範囲であるので、最大角度に本体載置板を回転させても前記突起が前記主台座部の上方位置から外れることがなく、暖房機本体の傾きを本体載置板の回転範囲の全てにおいて防止することができる。
【００１３】
また、本発明において、前記主台座部には、前記本体載置板の前記突起と対向する位置又は該突起よりも外方位置に、上方に向かって突出する他の突起を設けたことを特徴とする。
【００１４】
本発明によれば、前記主台座部に前記他の突起を設けたことにより、電源コードが暖房機本体から延出されていても、前記他の突起より内側に入り込むことがなく、本体載置板を回転させた際に本体載置板と基台との間への電源コードの噛み込みを防止して、円滑な回転首振り動作を得ることができる。
【００１５】
このとき、前記回転規制手段は、前記本体載置板を一方向に回転させた際に該本体載置部が覆って前記主台座部の上面に形成される第１の非露出部の一部と、該本体載置板を他方向に回転させた際に該本体載置部が覆って前記主台座部の上面に形成される第２の非露出部の一部とが互いに重なる第３の非露出部が形成される範囲に前記本体載置板の回転角度を規制し、前記他の突起は、該第３の非露出部に形成されていることが好ましい。
【００１６】
即ち、本体載置板を一方向に最大角度に回転させて該本体載置板が前記回転規制手段により規制されたとき、前記主台座部の一部の上方を本体載置板の一部が覆うため、前記第１の非露出部が形成される。本体載置板を他方向に最大角度に回転させて該本体載置板が前記回転規制手段により規制されたときにも、同様に、前記主台座部の一部の上方を本体載置板の一部が覆うため、前記第２の非露出部が形成される。そして、前記回転規制手段による回転規制範囲を、第１の非露出部の一部と第２の非露出部の一部とが互いに重なる部分が形成される範囲とすることにより、本体載置板を何れの方向に回転させても露出しない前記第３の非露出部を形成することができる。そして前記主台座部の該第３の非露出部となる位置に前記他の突起を形成しておくことにより、該他の突起が外部から視認されることを防止することができ、該他の突起によって暖房機の外観が損なわれることを防止することができる。
【発明を実施するための最良の形態】
【００１７】
本発明の一実施形態を図面に基づいて説明する。図１は本実施形態の床置き型温風暖房機を示す斜視図、図２は本実施形態の台脚を示す説明的正面図、図３は本実施形態の台脚を示す説明的側面図、図４は本実施形態の台脚の基台を示す説明的平面図、図５は本実施形態の台脚の本体載置板を示す説明的底面図、図６は本実施形態の台脚の要部を示す説明図である。
【００１８】
図１に示す本実施形態の温風暖房機１は、部屋内の床に置かれる床置き型であって、暖房機本体２を支持する台脚３が設けられている。暖房機本体２は、前側の幅寸法よりも奥行き寸法が小さく、平面視したときに左右に長い略矩形状に形成されている。該暖房機本体２の内部には、図示しないが、温風を生成するためのガス燃焼装置や送風装置が内蔵されており、図１に示すように、前面側に温風の吹出し口４が設けられている。また、暖房機本体２の後部からはガス燃焼装置の燃料ガスを供給するガス供給管（図示せず）や、送風装置の駆動電源として家庭用電源に接続する電源コード５が延出されている。
【００１９】
台脚３は、図２及び図３に示すように、暖房機本体２の底部閉塞板を兼ねる本体載置板６と、部屋内の床に接する基台７とによって構成されている。該基台７は上方に延びる回転軸８を備え、本体載置板６は該回転軸８を介して基台７上部に回転自在に連結されている。
【００２０】
基台７は、図３及び図４に示すように、主台座部９と、該主台座部９の前後に延びる副台座部１０とを備えている。主台座部９は、前記本体載置板６と平面視形状が大略同一とされ、副台座部１０は主台座部９の安定性を増すために設けられている。図４に示すように、主台座部９の中央には、前記回転軸８が設けられており、該回転軸８の近傍の主台座部９上には後述のストッパー１１が立設されている。更に、回転軸８の左右側の所定距離を存した位置（この位置について詳しくは後述する）には、一対の規制突起１２（本発明における他の突起）が形成されている。
【００２１】
本体載置板６は、図５に底面示するように、前記基台７の回転軸８に回転自在に嵌め合わされる回転連結孔１３と、前記基台７のストッパー１１を挿入する回転規制孔１４とを備えている。ストッパー１１と回転規制孔１４とは本発明の回転規制手段を構成している。また、回転連結孔１３の左右側の所定距離を存した位置には、一対の支持突起１５（本発明における突起）が形成されている。両支持突起１５は回転軸８回りの円周に沿って湾曲形状に延設されている。
【００２２】
そして、本体載置板６を基台７上に回転軸８を介して組み付けることによって、図４に仮想線で示すように、本体載置板６（及び暖房機本体２）が回転自在に連結される。これにより、基台７のストッパー１１が本体載置板６の回転規制孔１４に挿入状態となり、本体載置板６の回転角度が所定の範囲に規制される。また、基台７上に突出する各規制突起１２と本体載置板６下に突出する各支持突起１５の一部とが相互に対向する。即ち、基台７と本体載置板６との間に形成されている間隙内に各支持突起１５及び各規制突起１２が突出する。なお、相互に対向する規制突起１２と支持突起１５との間には僅かに間隙が形成されている（図６参照）。
【００２３】
図４に示すように、基台７上の本体載置板６が回転自在であることにより、本体載置板６及び暖房機本体２を回転させることができ、暖房機本体２の吹出し口４（図１参照）を所望の方向に向けることができる。また、基台７のストッパー１１と本体載置板６の回転規制孔１４とによって本体載置板６の回転角度が所定の範囲に規制されることにより本体載置板６の過剰な回転を防止することができる。
【００２４】
更に、図４において、本体載置板６を右回転（時計回りに回転）させて規制最大角となったとき、基台７の主台座部９上の一部に第１の非露出部Ａが形成される。本体載置板６を右回転（時計回りに回転）させて規制最大角となったとき、基台７の主台座部９上の一部に第１の非露出部Ａが形成される。本体載置板６を左回転（反時計回りに回転）させて規制最大角となったとき、基台７の主台座部９上の他部に第２の非露出部Ｂが形成される。更に、基台７のストッパー１１と本体載置板６の回転規制孔１４とは、本体載置板６を右回転（時計回りに回転）させて規制最大角となったときと、本体載置板６を左回転（反時計回りに回転）させて規制最大角となったときとの両方において主台座部９上に非露出部が形成されるように回転を規制している。即ち、第１の非露出部Ａと第２の非露出部Ｂとが重なる位置に第３の非露出部Ｃが形成されるようになっている。
【００２５】
そして、前記規制突起１２は、第３の非露出部Ｃに突出して形成されている。これにより、暖房機本体２を何れの方向に回転しても、規制突起１２が露出しない。更に、前記支持突起１５は、暖房機本体２を何れの方向に回転しても、規制突起１２との対向部分が存する。
【００２６】
このように構成された台脚３によれば、図６に示すように、暖房機本体２に偏荷重（図中矢示する）がかけられても、暖房機本体２が僅かに傾斜しただけで、支持突起１５が規制突起１２に当接して支持するので、回転軸８の軸線に交差する方向にかけられる荷重を小として暖房機本体２を円滑に回転させることができる。しかも、支持突起１５が本体載置板６の下面側に設けられていることにより外部から支持突起１５が見えず、暖房機１の外観低下を防止することができる。また、仮に、支持突起１５と規制突起１２とが接触状態で本体載置板６が回転しても、支持突起１５と規制突起１２との接触面積が小さいことにより摩擦抵抗は少なく、円滑な回転を阻害することはない。更に、支持突起１５と規制突起１２との接触により規制突起１２の先端に擦り傷が生じても、規制突起１２が第３の非露出部Ｃに突出して形成されていることによって外部からは見えず、暖房機１の外観低下を防止することができる。更にまた、図６に示すように、電源コード５が基台７と本体載置板６との間に形成されている間隙内に侵入しても、規制突起１２により規制されて回転軸８の近傍に入りこむことが防止でき、また回転中の支持突起１５による噛み込みを防止することができる。
【００２７】
なお、本実施形態においては、支持突起１５と規制突起１２とを相互に対向するように設けた例を示したが、それ以外には、図示しないが、規制突起１２を支持突起１５の外側となる位置に設けてもよい。この場合は、支持突起１５の突出量を更に大として主台座部９との間隙を小とするように設け、また、規制突起１２の突出量を大として本体載置板６の下面との間隙を小とするように設けることが好ましい。
【図面の簡単な説明】
【００２８】
【図１】本発明の一実施形態の床置き型温風暖房機を示す斜視図。
【図２】本実施形態の台脚を示す説明的正面図。
【図３】本実施形態の台脚を示す説明的側面図。
【図４】本実施形態の台脚の基台を示す説明的平面図。
【図５】本実施形態の台脚の本体載置板を示す説明的底面図。
【図６】本実施形態の台脚の要部を示す説明図。
【符号の説明】
【００２９】
１…床置き型温風暖房機、２…暖房機本体、３…台脚、４…吹出し口、６…本体載置板、７…基台、８…回転軸、９…主台座部、１０…副台座部、１１…ストッパー（回転規制手段）、１２…規制突起（他の突起）、１４…回転規制孔（回転規制手段）、１５…支持突起（突起）、Ａ…第１の非露出部、Ｂ…第２の非露出部、Ｃ…第３の非露出部。
【図１】
2006183905.tif 000003
【図２】
2006183905.tif 000004
【図３】
2006183905.tif 000005
【図４】
2006183905.tif 000006
【図５】
2006183905.tif 000007
【図６】
2006183905.tif 000008